(57)【特許請求の範囲】
【請求項１】
インテリジェントネットワークを用いたテレコミュニケーションシステムでデータを送信する構成体であって、インテリジェントネットワークサービスを提供する少なくとも１つのインテリジェントネットワークサービス制御ポイント（SCP1,SCP2）と、テレコミュニケーションシステムとインテリジェントネットワークサービスとの間に接続を与える少なくとも１つのインテリジェントネットワークサービス交換ポイント（SSP1,SSP2）とを備えた構成体において、
上記交換ポイント（SSP1,SSP2）は、コンフィギュレーションデータに属する少なくとも１つのパラメータの値を指示するためにコンフィギュレーションメッセージを発生して制御ポイント（SCP1,SCP2）へ送信するように構成され、そして
上記制御ポイント（SCP1,SCP2）は、そのコンフィギュレーションメッセージを受け取るように構成されたことを特徴とする構成体。
【請求項２】
上記制御ポイント（SCP1,SCP2）は、コンフィギュレーションデータに属する少なくとも１つのパラメータの値を見出すためにコンフィギュレーション問合せメッセージを発生して交換ポイント（SSP1,SSP2）へ送信するように構成され、そして
上記交換ポイント（SSP1,SSP2）は、問合せメッセージの受信に応答して上記コンフィギュレーションメッセージを送信するように構成された請求項１に記載の構成体。
【請求項３】
上記問合せメッセージは、その値を見出すべきパラメータを指示し、そして
上記交換ポイント（SSP1,SSP2）は、上記問合せメッセージを受け取り、問合せメッセージにより指示されたパラメータを識別し、そして上記パラメータの値をコンフィギュレーションメッセージに含ませるように構成される請求項２に記載の構成体。
【請求項４】
上記交換ポイント（SSP1,SSP2）は、コンフィギュレーションデータに属するパラメータ値の変更に応答して上記コンフィギュレーションメッセージを送信するように構成された請求項１、２又は３に記載の構成体。
【請求項５】
上記制御ポイント（SCP1,SCP2）は、コンフィギュレーションデータに属する少なくとも１つのパラメータ値を変更するためにコンフィギュレーション変更メッセージを発生して交換ポイント（SSP1,SSP2）へ送信するように構成され、そして
上記交換ポイント（SSP1,SSP2）は、上記変更メッセージを受け取り、その変更メッセージに含まれた各パラメータに対し変更メッセージにおいて指示される値を設定し、そしてその設定に応答してコンフィギュレーションメッセージを送信するように構成される請求項１ないし４のいずれかに記載の構成体。
【請求項６】
サービス交換ポイントへの接続を含むインテリジェントネットワークサービス制御ポイント（SCP）において、このサービス制御ポイントは、更に、交換ポイントにおけるコンフィギュレーションデータに属する少なくとも１つのパラメータ値を指示するコンフィギュレーションメッセージを受け取るための受信手段（SCP-ET）を備えたことを特徴とするサービス制御ポイント。
【請求項７】
交換ポイントにコンフィギュレーションメッセージを要求する問合せメッセージを発生するためのメッセージ発生手段（SCME-FSM）と、
上記問合せメッセージを送信するための送信手段（SCP-ET）とを備えた請求項６に記載のインテリジェントネットワークサービス制御ポイント。
【請求項８】
パラメータ値を含むコンフィギュレーションメッセージと、設定許可を要求するコンフィギュレーションメッセージとを互いに分離するためのメッセージ分離手段（SCME-C）と、
上記要求するコンフィギュレーションメッセージの受信に応答して、コンフィギュレーションメッセージの値をパラメータの受け入れ値と比較するための処理手段（SCME-FSM）とを更に備え、
上記メッセージ発生手段（SCME-FSM）は、比較に応答して許可メッセージを発生するように構成され、そして
上記送信手段（SCP-ET）は、許可メッセージを送信するように構成された請求項６又は７に記載のインテリジェントネットワーク制御ポイント。
【請求項９】
上記メッセージ発生手段（SCME-FSM）は、交換ポイントのコンフィギュレーションを変更するための変更メッセージを発生するように構成され、そして
上記送信手段（SCP-ET）は、その変更メッセージを送信するように構成された請求項６、７又は８に記載のインテリジェントネットワーク制御ポイント。
【請求項１０】
インテリジェントネットワーク制御ポイントへの接続を含むインテリジェントネットワークサービス交換ポイント（SSP）において、この交換ポイントは、交換ポイント（SSP）のコンフィギュレーションデータに属する少なくとも１つのパラメータ値を指示するコンフィギュレーションメッセージを発生するためのメッセージ発生手段（SSME-FSM）と、
このメッセージ発生手段（SSME-FSM）に応答してコンフィギュレーションメッセージを制御ポイントへ送信するための送信手段（SSP-ET）とを備えたことを特徴とするサービス交換ポイント。
【請求項１１】
コンフィギュレーションデータを要求する問合せメッセージを受信するための受信手段（SSP-ET）を更に備え、
上記メッセージ発生手段（SSME-FSM）は、上記問合せメッセージで要求されたパラメータ値を指示するように構成される請求項１０に記載のサービス交換ポイント。
【請求項１２】
上記メッセージ発生手段（SSME-FSM）は、パラメータ値の変更に応答し、そして上記コンフィギュレーションメッセージは、変更された値を指示する請求項１０又は１１に記載のサービス交換ポイント。
【請求項１３】
上記受信手段（SSP-ET）は、コンフィギュレーションを変更する変更メッセージを受信するように構成され、
上記交換ポイントは、更に、上記変更メッセージを問合せメッセージから分離するためのメッセージ分離手段（SSME-C）と、上記変更メッセージにおいて指示される各パラメータの値を変更メッセージに対応するように設定するための設定手段（SSME-FSM）とを備え、そして
上記メッセージ発生手段（SSME-FSM）は、上記設定に応答する請求項１０、１１又は１２に記載のサービス交換ポイント。
【請求項１４】
上記コンフィギュレーションメッセージは、パラメータ値を変更するための許可を要求するメッセージであり、そして
上記交換ポイント（SSP）は、更に、コンフィギュレーションメッセージへの応答である許可メッセージを受け取るための受信手段（SSP-ET）と、その許可メッセージに応答する設定手段（SSME-FSM）とを備えている請求項１０に記載のサービス交換ポイント。
【請求項１５】
インテリジェントネットワークを用いたテレコミュニケーションシステムにおいてサービスを提供する方法であって、上記システムは、インテリジェントネットワークインターフェイスを与える少なくとも１つのインテリジェントネットワークサービス交換ポイント（SSP1,SSP2）と、インテリジェントネットワークサービスを形成して実行する少なくとも１つのインテリジェントネットワークサービス制御ポイント（SCP1,SCP2）とを備えたものであり、上記方法は、
交換ポイント（SSP1,SSP2）のパラメータ値を交換ポイントからインテリジェントネットワークへ送信し、
上記パラメータ値を含む交換ポイント（SSP1,SSP2）のコンフィギュレーションデータをインテリジェントネットワークに維持し、そして
制御ポイント（SCP1,SCP2）におけるサービスの呼び出しに応答して交換ポイントのコンフィギュレーションデータを用いて各インテリジェントネットワークサービスを形成する、
という段階を含むことを特徴とする方法。
【請求項１６】
形成されたサービスの実行の失敗に応答してインテリジェントネットワークに維持された交換ポイント（SSP1,SSP2）のコンフィギュレーションデータを更新する請求項１５に記載の方法。
【請求項１７】
交換ポイント（SSP1,SSP2）のパラメータ値をインテリジェントネットワークから交換ポイントへ送信し、そして
その送信された値に対応するように交換ポイント（SSP1,SSP2）においてパラメータ値を更新する請求項１５に記載の方法。
【請求項１８】
上記パラメータ値をコール特有に送信しそして更新する請求項１７に記載の方法。
【発明の詳細な説明】
発明の分野
本発明は、インテリジェントネットワークを用いたテレコミュニケーションシステムにおけるデータの送信に係り、より詳細には、インテリジェントネットワークの交換ポイントに関連したデータの送信に係る。
先行技術の説明
テレコミュニケーションネットワーク、例えば布線ネットワーク又は移動電話ネットワークの加入者には、インテリジェントネットワークＩＮによって非常に多数の種々のサービスを提供することができる。このようなサービスは、プライベート番号を使用できるようにするプライベートナンバリングプランＰＮＰや、加入者によって制御されるやり方でインテリジェントネットワークがパーソナル番号になされたコールを再ルート指定するようなパーソナルナンバーＰＮを含む。このようなインテリジェントネットワークの一例が、インターナショナル・テレコミュニケーションズ・ユニオンＩＴＵ−ＴのＱ−１２００シリーズの推奨勧告に規定されている。本発明及びその背景技術は、ＥＴＳ３００  ３７４−１規格のＣｏｒｅＩＮＡＰ用語を用いて説明するが、本発明は、他のインテリジェントネットワーク規格により実施されるインテリジェントネットワークにも使用することができる。
インテリジェントネットワークアーキテクチャーは、インテリジェントネットワークの概念モデルにおいて決定された４つの機能的平面について説明することができる。図１は、これら機能的平面の非常に簡単な例を示す。最も上の平面は、各サービスＳ１、Ｓ２の要求と、実施及びネットワーク技術とは独立したそれらの個別の能力とを記述するサービス平面ＳＰである。このサービス平面の下にはグローバルな一般の機能的平面ＧＦＰが配置され、一般的サービスロジックＧＳＬがフローダイヤグラムにより各サービスの処理を定義する。これらのフローダイヤグラムは、例えば、交換センターへなされるコール処理要求、データベース質問、又はサービス制御ファンクションＳＣＦにより行われるデータ処理であるサービス独立のビルディングブロックＳＩＢを含む。これらのフローダイヤグラムは、インテリジェントネットワークサービスがコールに要求されたときにインボークされるサービスロジックプログラムＳＬＰへと変換することができる。プログラムをインボークした結果として、独特のサービスロジックインスタンスがコールに対して形成される。グローバルな機能的平面の下には、インテリジェントネットワークの機能的エンティティ及びそれらの間のプロトコルを記述する分散型機能的平面ＤＦＰが配置される。機能的エンティティは、サービス制御ファンクションＳＣＦ及びサービス交換ファンクションＳＳＦを含む。各機能的エンティティは、機能的エンティティアクションＦＥＡと称される多数の特定の手順であって異なるサービスに使用できる手順を実行することができる。ＳＩＢは、ＦＥＡを用いることにより実施される。最も低い平面は、機能的エンティティが実際のネットワークエレメントにいかに配置されるかを記述する物理的平面ＰＰである。ＣＳ−１アーキテクチャーは、これによって識別された機能的エンティティを物理的ネットワークエレメントにいかに配置すべきかを決定するものではない。この配置は、ハードウェアの製造者によって大きく左右される。通常、サービス制御ファンクションＳＣＦが配置されるエレメントをサービス制御ポイントと称し、そしてサービス交換ファンクションが配置されるエレメントをサービス交換ポイントＳＳＰと称する。
インテリジェントネットワークに関連して定義された基本的コール状態モデルＢＣＳＭは、コール制御の異なる段階を記述し、そしてインテリジェントネットワークサービスをアクチベートするためにコール制御に割り込むことのできるポイントを含む。これは、コールにおける検出ポイントと、インテリジェントネットワークのサービスロジックインスタンスが基本的コール及び接続制御能力と対話することのできる接続プロセスとを識別する。インテリジェントネットワークにおいては、接続構成とサービス制御が互いに分離され、全てのインテリジェントネットワーク能力を交換構成から独立したものにする。インテリジェントネットワークサービスを伴うコールが交換センターにおいて設定されるときには、サービス交換ポイントＳＳＰが接続構成の役目を果たす。インテリジェントネットワークサービスは、そのサービスに関連した検出ポイントの遭遇について、サービス交換ポイントＳＳＰがサービス制御ポイントＳＣＰに命令を要求するように行なわれる。インテリジェントネットワークサービスの形成、管理及び実行は、通常、ＳＣＰに集中される。インテリジェントネットワークサービスに関連して、コールの各段階にＳＣＰがＳＳＰへ送信するところの命令を決定するように働くサービスロジックプログラムＳＬＰがサービス制御ポイントＳＣＰにおいてアクチベートされる。ＳＳＰは、受け取った命令を解読し、それらに必要なコール制御機能を開始する。
又、インテリジェントネットワークに関しては、サービス制御ポイントＳＣＰとサービス交換ポイントＳＳＰとの間に、ＮＣＡ信号に関連したノン・コールが定義される。これらの信号メッセージにより、ＳＣＰは、それがＳＳＰに対して関係をもつかどうかチェックすることができ（アクティビティのテスト）、ＳＣＰは、ある規格に合致するコールをフィルタするようにＳＳＰに要求することができ（アクチベートサービスフィルタリング）、そして更に、ＳＣＰは、あるサービスに関連した要求の数を制限するようにＳＳＰに要求することができる（コールギャップ）。
上記構成に伴う問題は、交換ポイントのコンフィギュレーションを考慮するようにインテリジェントネットワークサービスを構築できないことである。というのは、サービス交換ポイントＳＳＰの能力、即ちコンフィギュレーションに関するデータをサービス制御ポイントＳＣＰへ完全に送信することができず、サービスを構築するときに交換ポイントの能力についてデフォールト値を使用しなければならないからである。交換ポイントの能力値が仮定したものとずれる場合には、サービスが機能しないことになる。
発明の要旨
本発明の目的は、サービスの構築に関連した上記問題を解消すると共に、交換ポイントのコンフィギュレーションを考慮に入れるようにインテリジェントネットワークサービスを構築することのできる構成体を提供することである。この目的は、コンフィギュレーションデータに属する少なくとも１つのパラメータの値を指示するためにコンフィギュレーションメッセージを発生して制御ポイントへ送信するように交換ポイントが構成され、そしてそのコンフィギュレーションメッセージを受け取るように制御ポイントが構成されたことを特徴とする。
更に、本発明は、本発明の構成体に使用できるインテリジェントネットワーク制御ポイントにも係る。このインテリジェントネットワーク制御ポイントは、交換ポイントにおけるコンフィギュレーションデータに属する少なくとも１つの値を指示するコンフィギュレーションメッセージを受け取るための受信手段を備えたことを特徴とする。
更に、本発明は、本発明の構成体に使用できるインテリジェントネットワーク交換ポイントにも係る。このインテリジェントネットワーク交換ポイントは、交換ポイントのコンフィギュレーションデータに属する少なくとも１つの値を指示するコンフィギュレーションメッセージを発生するためのメッセージ発生手段と、このメッセージ発生手段に応答してコンフィギュレーションメッセージを制御ポイントへ送信するための送信手段とを備えたことを特徴とする。
更に、本発明は、本発明の構成体に適用できる方法にも係る。この方法は、交換ポイントのパラメータ値を交換ポイントからインテリジェントネットワークへ送信し、このパラメータ値を含む交換ポイントのコンフィギュレーションデータをインテリジェントネットワークに維持し、そして制御ポイントにおけるサービスのアクチベーションに応答して交換ポイントのコンフィギュレーションデータを用いて各インテリジェントネットワークサービスを形成することを特徴とする。
サービス交換ポイントのコンフィギュレーションデータは、次のデータを含む。
−  インテリジェントネットワークサービスの機能に直接関連したデータ、例えば、ＳＳＰ−ＳＣＰインターフェイスにエラーが生じた場合のＳＳＰの機能、ＳＳＰ−ＳＣＰインターフェイスに使用されるオペレーションの受信の待機時間制御の値、インテリジェントネットワークサービスをアクチベートするＳＣＰのアドレス、
−  異なる状態、例えば、Ａ加入者番号の処理における異なるテレコミュニケーションネットワークのサービス交換ポイントの機能的な相違、
−  サービス交換ポイント及びインテリジェントネットワークサービスにおいて実施される能力の協働であって、種々の国々及び／又は異なるオペレーションにおいて相違することのある協働、
−  サービス交換ポイントにおいて定義されたサービス番号及び非常番号の選択データ、
−  異なるプレフィックスのようなネットワーク特有の番号情報、
−  一時的コールライン識別制約プレフィックスのような能力に関連した特殊なプレフィックス、
−  特殊なケースのファンクションのような能力に関連した他の特殊な情報、及び
−  制御ポイントＳＣＰに対して交換ポイントに記憶されたデータ。
本発明は、問題を検出し、そしてノン・コール関連信号により実行されるべきサービス交換ポイントのコンフィギュレーションデータを送信できるようにインテリジェントネットワークアーキテクチャーのノン・コール関連信号を補足するという考え方をベースとする。これは、サービスプログラムの一般的アーキテクチャーを構築するときに、サービス交換ポイントＳＳＰに依存しそしてサービス制御ポイントＳＣＰにおけるサービスの機能に影響するデータを考慮に入れられるようにする。このデータのあるものは、サービスプログラムに使用することができ、そしてそのあるものは、あるサービスプログラムのみに使用することができる。又、本発明は、ある特定のデータについてＳＩＢがＳＳＰに要求するのを許す。従って、本発明の効果は、電話ネットワークのローカルオペレーションをより良好なやり方で考慮に入れられるようにインテリジェントネットワークサービスの構築及び提供がより多様になったことである。
サービス交換ポイントのコンフィギュレーションデータは、例えば、サービスロジックプログラムのタイムガードにおいて考慮に入れることができる。サービス制御ポイントは、待機のためのタイムガードの長さを各サービス交換ポイントに要求する。サービス制御ポイントは、受け取った待機のためのタイムガードの長さに基づいて、サービスロジックプログラム、又はインスタンス生成の際にはそれに対応するサービスロジックインスタンス、或いはタイムガードリセットオペレーション（リセットタイマー）をいかに早くにサービス交換ポイントに送らねばならないかの情報をセットする。このように、サービス制御ポイントに関連したサービス交換ポイントの異なる長さの待機に対するタイムガードを考慮に入れることができ、そしてリセットオペレーションを正しい時間に各交換ポイントへ送ることができる。
本発明の構成体、交換ポイント、制御ポイント及び方法の好ましい実施形態は、従属請求項２ないし５、７ないし９、１１ないし１４及び１６ないし１８に記載する。
【図面の簡単な説明】
以下、添付図面を参照して本発明の好ましい実施形態を詳細に説明する。
図１は、インテリジェントネットワークアーキテクチャーの機能的平面を示す図である。
図２は、インテリジェントネットワークを用いたテレコミュニケーションシステムを示す図である。
図３、４、５及び６は、本発明の第１の好ましい実施形態の信号を示す図である。
図７は、本発明のインテリジェントネットワークの交換ポイントを示す図である。
図８は、本発明のインテリジェントネットワークの制御ポイントを示す図である。
好ましい実施形態の詳細な説明
図２は、インテリジェントネットワークを用いたテレコミュニケーションシステムを示す。図２は、インテリジェントネットワークサービスに関連した要素と機能を示す。サービス交換ファンクションＳＳＦ及びコール制御ファンクションＣＣＦを含むネットワーク要素をサービス交換ポイントと称する。コール制御ファンクションＣＣＦは、インテリジェントネットワークに関連した機能ではなく、交換センターにおける標準的な機能であり、送信接続設定及び解除のような高レベルのコール処理機能を含む。サービス交換ファンクションＳＳＦは、コール制御ファンクションＣＣＦとサービス制御ファンクションＳＣＦとの間のインターフェイスである。ＳＳＦは、ＳＣＦにより送られた要求を解読し、そしてそれをＣＣＦへ送り、ＣＣＦは、それらによって要求されたコール制御ファンクションを開始する。同様に、コール制御ファンクションＣＣＦは、ＳＳＦを使用して、ＳＣＦに命令を要求する。ＳＳＦは、そのインターフェイスであるＣＣＦに固定接続される。従って、各ＳＳＦは、ＣＣＦと共に、同じ交換センターに配置される。本発明のサービス交換ポイントは、図７を参照して詳細に説明する。図２に示す第１のサービス交換ポイントＳＳＰ１は、ＣＣＦ及びＳＳＦに加えて、ユーザにネットワークへのアクセスを与えるコール制御エージェントファンクションＣＣＡＦを備えた交換センターである。ＳＳＰ１はＣＣＡＦを備えているので、それは、固定ネットワークのローカル交換センターであってもよいし、又は例えば、移動電話ネットワークＰＬＭＮのベースステーションサブシステムＢＳＳを制御する移動交換センターであってもよい。従って、ユーザターミナルは、電話、電話を含む構内交換機、又はエアインターフェイスを経て通信するサポート装置を含む移動ステーションである。サービス交換ファンクションＳＳＦ及びコール制御ファンクションＣＣＦに加えて、第２のサービス交換ポイントＳＳＰ２は、特殊なリソースファンクションＳＲＦとして知られたインテリジェントネットワークファンクションを含む。ＳＲＦは、加入者との対話に関連したネットワークメカニズムのインターフェイスである。ＳＲＦは、交換センターよりも精巧なスピーチ処理機能を含むインテリジェントペリフェラルＩＰに関連することができる。
サービス制御ファンクションＳＣＦを含むネットワーク要素をサービス制御ポイントＳＣＰと称する。サービス制御ファンクションは、サービスロジックプログラムを実行する環境を含むインテリジェントネットワークにおける中央の当局である。各プログラムは、実行すべき多数のインスタンスをもつことができる。本発明の多数の制御ポイントは、図８を参照して詳細に説明する。図２に示す第１のサービス制御ポイントＳＣＰ１は、サービス制御ポイントを最も簡単に示す。というのは、サービス制御ファンクションＳＣＦ及び必要な接続しか有していないからである。サービス制御ファンクションＳＣＦに加えて、第２のサービス制御ポイントＳＣＰ２は、サービスデータファンクションＳＤＦを備えている。このＳＤＦは、ＳＣＦを経て使用されるデータベースである。サービスロジックプログラムは、ＳＤＦのデータを要求しそしてそれを更新することができる。例えば、サービス番号又は加入者特有のデータをＳＤＦに記憶することができる。又、本発明によるサービス制御ポイントのコンフィギュレーションデータも、ＳＤＦに記憶することができる。ＳＤＦは、サービス制御ポイントＳＣＰにおけるデータベースマネージメントシステムでもよいし、又はＳＣＦ−ＳＤＦインターフェイスをサポートしそしてデータベースＤＢを含む個別のサービスデータポイントＳＤＰであってもよい。
多数のサービス交換ポイントＳＳＰを１つのサービス制御ポイントＳＣＰに接続することができ、そして対応的に、１つのサービス交換ポイントＳＳＰを多数のサービス制御ポイントＳＣＰに接続することができる。多数のＳＣＰは、ネットワークの保安性及び負荷の分担を改善するために同じサービスロジックプログラム及びデータ、又は同じデータへの接続をを含むことができる。
あるネットワークノードにおいては、サービス交換ポイントＳＳＰ及びサービス制御ポイントＳＣＰが組合わされる。このようなネットワークノードは、サービス交換及び制御ポイントＳＳＣＰと称する。これは、ＳＳＰ及びＳＣＰの機能を備え、対応する個別のポイントと同様のサービスを提供する。
図２のテレコミュニケーションシステムにおいては、ネットワーク要素が信号ネットワークＳＳ７を経て相互接続される。又、ＩＳＤＮのような他のネットワークを使用することもできる。
図３、４、５及び６は、本発明の第１の好ましい実施形態においてサービス交換ポイントＳＳＰ及びサービス制御ポイントＳＣＰの信号を示している。インテリジェントネットワーク技術では、これらの信号メッセージはオペレーションと称される。従って、オペレーション及びメッセージは、ここでは同義語である。単一オペレーションのパラメータは、ここではオペレーションデータと称する。単なるパラメータは、コンフィギュレーションデータ又はコンフィギュレーションデータを識別する識別子に関連したコンフィギュレーションパラメータを意味する。
図３は、制御ポイントＳＣＰが交換ポイントのコンフィギュレーションを要求するときにインテリジェントネットワークサービス制御ポイントＳＣＰとインテリジェントネットワークサービス交換ポイントＳＳＰとの間で行なわれるオペレーションを示す。以下、番号は図３のオペレーションのみを表わす。
１．インテリジェントネットワークサービス制御ポイントＳＣＰは、サービス交換ポイントＳＳＰに問合せオペレーションによりそのコンフィギュレーションに関する情報を要求する（ＧｅｔＳＳＰＣｏｎｆｉｇｕｒａｔｉｏｎ）。第１の好ましい実施形態では、オペレーションのオペレーションデータ（ｐａｒａｍ１、…）は、その値を確立すべきパラメータである。他の実施形態では、オペレーションがオペレーションデータを全く必要としないか、或いはオペレーションデータが、パラメータのデフォールトセットを識別する識別子又は多数のデフォールトセットの中から１つのセットを識別する識別子である。要求されるコンフィギュレーションデータの量に制限はなく、１つのパラメータの値に関するデータから、コンフィギュレーションデータに関連した全てのパラメータの値までの範囲でよい。サービス制御ポイントは、規則的な間隔で又は例えばサービスフェイルを行うときに問合せオペレーションを送ることができる。問合せオペレーションは、サービスロジックプログラムが構築されるか又は変更されるときにも送ることができる。又、サービス制御ポイントＳＣＰのオペレーション及びメンテナンス機能は、交換ポイントＳＳＰのあるコンフィギュレーションデータのチェックを指令することもできる。
２．サービス交換ポイントＳＳＰは、コンフィギュレーションオペレーションによりそのコンフィギュレーションを制御ポイントＳＣＰに通知する（ＳＳＰＣｏｎｆｉｇｕｒａｔｉｏｎ）。第１の好ましい実施形態では、コンフィギュレーションオペレーションは、問合せオペレーションによって要求される値をもつパラメータをそのオペレーションデータ（ｐａｒａｍ１＝Ｘ、…）として含む。これは、どの値が特定のパラメータに属するか制御ポイントに分かるよう確保する。又、単なるパラメータ値は、サービス制御ポイントがそれらを正しいパラメータに指定できる順序でそれらが送られる限りオペレーションデータとして送信することができる。例えば、問合せオペレーション又はデフォールトセットに基づく順序がこのような順序である。単なる値を送信すると、コンフィギュレーションオペレーションの長さ及びネットワーク負荷が減少する。問合せオペレーションがオペレーションデータを含まない場合には、コンフィギュレーションオペレーションは、アプリケーションに基づきそれらのパラメータを伴ったり伴わなかったりして、ある順序で全てのパラメータの値を含む。
サービス制御ポイントは、コンフィギュレーションオペレーションを受け取ると、第１の好ましい実施形態においては、コンフィギュレーションオペレーションで送信されるパラメータ値を記憶値と比較し、そしてＳＣＰデータベースにおける変更値を更新する。このように、冗長な更新作業を回避することができる。値は、このように記憶されるか又は適当に変更される。又、比較に基づき、新たな値が受け入れられるかどうかチェックすることもできる。もし受け入れられない場合には、第１の好ましい実施形態では、サービス制御ポイントが図５に示す信号をアクチベートする。他の実施形態では、制御ポイントは、コンフィギュレーションオペレーションで送信される全てのパラメータの値をデータベースに対して更新することもできるし、或いはそれらをそのまま又は適当に変更して、それを必要とするそしてその実施のために値を記憶できるサービスロジックプログラムへ送信することができる。
図４は、第１の好ましい実施形態において例えばネットワークマネージメントがネットワークコンフィギュレーションを更新するために交換ポイントのコンフィギュレーションデータに属する少なくとも１つのパラメータの値が変更されるときにインテリジェントネットワークのサービス制御ポイントＳＣＰとインテリジェントネットワークのサービス交換ポイントＳＳＰとの間で行なわれるオペレーションを示す。これは、制御ポイントにおいてもコンフィギュレーションデータが常に更新されるという効果がある。他の実施形態においても、オペレーションをある間隔で送ることができ、その際に、オペレーションは、コンフィギュレーションデータに属する全てのパラメータの値、或いは例えば最も重要なパラメータで形成されたデフォールトセットパラメータの値を、それらのパラメータと共に又はある順序で含む。次の番号１は、図４のオペレーションのみを指す。
１．インテリジェントネットワークのサービス交換ポイントＳＳＰは、インテリジェントネットワークのサービス制御ポイントＳＣＰにコンフィギュレーションオペレーションを送る（ＳＳＰＣｏｎｆｉｇｕｒａｔｉｏｎ）。第１の実施形態では、オペレーションデータ（ｐａｒａｍ１、…）は、パラメータと、全ての変更されたコンフィギュレーションデータからの変更された値とを含む。従って、値の正しい指定は、オペレーションをできるだけ短くしそしてコンフィギュレーションオペレーションにおける冗長データの送信を回避するように確保することができる。又、他のオペレーションデータも、どの値が特定のパラメータに属するかサービス制御ポイントに分かるように確保する限り使用することができる。
コンフィギュレーションオペレーションを受け取った後に、サービス制御ポイントＳＣＰは、オペレーション及びそのオペレーションデータを処理し、図３について述べたようにパラメータ値を更新又は送信する。
図５は、制御ポイントが、例えば、サービス欠陥によるか又はインテリジェントネットワークのどこかから受け取ったコマンドにより交換ポイントのコンフィギュレーションデータを変更して、交換ポイントＳＳＰのコンフィギュレーションを変更しようとするときに、インテリジェントネットワークのサービス制御ポイントＳＣＰとインテリジェントネットワークの交換ポイントＳＳＰとの間で行なわれるオペレーションを示す。これは、サービス交換ポイントのコンフィギュレーションをインテリジェントネットワークサービスに対して最適化できるという効果を有する。これらのオペレーションは、単一のコールに向けることができ、従って、交換ポイントのコンフィギュレーションは、異なるコールに対して異なるが、それらは同じサービスプログラムを使用する。従って、これは、カスタマイズされたインテリジェントネットワークサービスを顧客に与えるための次第に変化する範囲の種々の手段をオペレータがもてるという効果を与える。次の番号は、図５のオペレーションのみを指す。
１．サービス制御ポイントＳＣＰは、サービス交換ポイントＳＳＰにパラメータ変更オペレーションを送る（ＭｏｄｉｆｙＳＳＰＣｏｎｆｉｇｕｒａｔｉｏｎ）。第１の好ましい実施形態では、オペレーションデータ（ｐａｒａｍ１＝Ｙ、…）は、それらの新たな値で変更されるべきパラメータのみを含む。変更オペレーションを受け取った後に、サービス交換ポイントＳＳＰは、変更されるべき各パラメータごとに変更オペレーションで示された新たな値をセットする。変更オペレーションが、交換ポイントに変更が許されないか又は変更できないような値のパラメータを変更しようと試みる場合、又は新たな値が交換ポイントにとって「不可能」なものである場合には、交換ポイントは、これらのパラメータをスキップし、そしてその古い値を保持する。他の実施形態では、交換ポイントは、例えば、値を設定する前に、オペレーションデータに含まれたパラメータの値を新たな値に変更できるかどうかチェックし、もしそうであれば、値がセットされる。さもなくば、全ての値は不変のままである。
２．値を設定した後に、サービス交換ポイントＳＳＰは、サービス制御ポイントＳＣＰへコンフィギュレーションオペレーション（ＳＳＰＣｏｎｆｉｇｕｒａｔｉｏｎ）を送ることにより行なわれた変更を確認する。第１の好ましい実施形態では、オペレーションデータ（ｐａｒａｍ１＝Ｙ、…）は、変更オペレーションと同じパラメータと、設定後のそれらの値とを含む。変更コマンドの確認は、変更が首尾良くいったかどうかサービス制御ポイントに分かるという効果を与える。変更コマンドの確認オペレーションがそれらの値をもつパラメータを含むときには、サービス制御ポイントは、値が変更されたパラメータ及び値が不変のままであるパラメータが分かる。又、確認オペレーションは、オペレーションデータを含まず、失敗又は成功を指示する簡単なオペレーションでもよい。パラメータ値を指示するためには、変更が成功かどうかを通知すれば充分である。第１の好ましい実施形態では、サービス制御ポイントは、コンフィギュレーションオペレーションを確認として受け取るまで、変更されたパラメータ値を記憶もしないしサービスロジックプログラムへ送りもしない。
ポイント１及び２に示す信号が１つのコールに向けられる場合には、値がどこにも永久的に記憶されず、そのコールについて責任のあるインスタンス（１つ又は複数）に記憶される。１つのコールのコンフィギュレーションオペレーションにより変更が確認されるときには、サービス交換ポイントＳＳＰがこのコールについて所望されるように実行するかどうかサービス制御ポイントＳＣＰに分かる。
図６は、例えば、ネットワークマネージメントがサービス交換ポイントのパラメータについて新たな値を示唆し、そしてその示唆された変更がサービスに問題を生じないよう確保することを交換ポイントＳＳＰが希望するときに、インテリジェントネットワークのサービス制御ポイントＳＣＰとインテリジェントネットワークのサービス交換ポイントＳＳＰとの間で行なわれるオペレーションを示す。次の番号は、図６のオペレーションのみを指す。
１．サービス交換ポイントＳＳＰは、サービス制御ポイントＳＣＰにコンフィギュレーションオペレーション（ＳｕｇｇｅｓｔｅｄＳＳＰＣｏｎｆｉｇｕｒａｔｉｏｎ）を送り、これにより、オペレーションデータに対応するようにそのコンフィギュレーションを変更する許可を要求する。第１の好ましい実施形態では、新たな値を伴うオペレーションデータ（ｐａｒａｍ１＝Ｚ、…）は、その値を変更すべきパラメータのみを含む。他の実施形態では、図４について述べた手段を使用できる。
第１の好ましい実施形態では、サービス制御ポイントＳＣＰは、変更許可を要求するコンフィギュレーションオペレーションを識別する。というのは、このオペレーションは異なる名前にされるからである。別の実施形態では、オペレーションデータを疑問符でスタートすることができ、パラメータ値を疑問符で終わらせることができ、或いは当該コンフィギュレーションメッセージがパラメータ値のみを通知するか変更許可の要求のみを通知するかが他の何らかの方法で表わされる。
変更許可を要求するオペレーションを受け取りそして識別した後に、サービス制御ポイントは、第１の好ましい実施形態ではオペレーションデータをパラメータごとに検討し、そしてコンフィギュレーションオペレーションにおいてパラメータに与えられた値を、パラメータとして許された／適した値と比較し、そして変更許可を与えるか又はパラメータとして別の値を示唆する。
２．第１の好ましい実施形態では、全てのパラメータをチェックした後に、サービス制御ポイントＳＣＰは、受け入れ可能なコンフィギュレーション（ＡｃｃｅｐｔｅｄＳＳＰＣｏｎｆｉｇｕｒａｔｉｏｎ）を含むオペレーションをサービス交換ポイントＳＳＰに送る。サービス交換ポイントの全ての変更に変更許可が与えられた場合には、サービス制御ポイントは、更に、変更の確認を待たずに、例えば、図３について述べたようにパラメータの新たな値を処理する。サービス制御ポイントは、変更許可が与えられないときでも、変更の確認を待機しない。他の場合には、サービス制御ポイントは、確認を受け取るまでパラメータに対する新たな値を記憶しない。この手順の効果は、ネットワークにおける不要な信号を減少し、そして１つの不可能な値が他の要求されたパラメータの値変更を許すように、多数のパラメータ変更許可に対する同時要求を許すことである。他の実施形態では、制御ポイントは、変更許可を与えるオペレーション、又はオペレーションデータを伴わない変更を拒絶するオペレーションのいずれかを送ることができる。
第１の好ましい実施形態では、サービス交換ポイントは、変更の示唆が受け入れられたパラメータに対する新たな値をセットする。変更の示唆が受け入れられないパラメータが含まれる場合には、サービス交換ポイントＳＳＰは、サービス制御ポイントＳＣＰに図４に基づくコンフィギュレーションオペレーション（図６には示さず）を送る。このコンフィギュレーションオペレーションは、交換ポイントＳＳＰにより変更された値を伴うパラメータをオペレーションデータとして含む。このメッセージを受信した後に、サービス制御ポイントは、パラメータの新たな値を更に処理する。これは、交換ポイント及び制御ポイントにおいて値が同じであることを確保する。
他の好ましい実施形態では、交換ポイントは、必ずしもそれが行った変更を全く確認しない。
又、図６に示す信号は、サービス交換ポイントＳＳＰがサービス制御ポイントＳＣＰにあるパラメータの設定値を要求するのに使用することができる。第１の好ましい実施形態では、これは、変更許可を要求するオペレーション１において値をもたない単なるパラメータを送信することにより指示される。サービス制御ポイントＳＣＰは、次いで、データベースからパラメータとして推奨値を検索し、そしてそれらを、受け入れられるコンフィギュレーションを含むオペレーション２において送信する。
他の好ましい実施形態では、図３に示すオペレーション４、５及び６を自由に組合わせることができ、そして各実施形態に対して最も適した１組のオペレーションをそれらの中から選択することができる。本発明による機能に対して必要なことは、図３、４、５及び６に示す少なくとも１つの信号を実施形態に使用することだけである。図３、４、５及び６に示す各信号は、互いに他の信号と独立させることができ、そしてこれら信号を組合わせることができる。オペレーションは、上記のものとは異なる名前にされるが、それらによって送信されるデータは、不変のままである。又、オペレーションは、ここに示す以上のデータを含むこともできる。又、全てのオペレーションは、単一コールに対して行うこともできるが、これは、図３、４及び６については説明しない。
図７は、本発明に関連したサービス交換ポイントＳＳＰ及びその機能を示す。ＳＳＰは、共通の交換センターが基本的なコール制御をインテリジェントネットワークのサービス制御から分離することが確保される限りこのような交換センターで実施することができる。サービス交換ポイントＳＳＰは、他のネットワークノードから信号を受信しそしてその信号を他のネットワークノードへ送信するための交換ターミナルＳＳＰ−ＥＴと、この交換ターミナルを制御するアプリケーション部分ＳＳＰ−ＡＰと、メモリ部分ＭＰとを備えている。アプリケーション部分ＳＳＰ−ＡＰは、交換センターの実際の機能、即ちサービス交換ファンクションＳＳＦと、サービス制御ファンクションＣＣＦと、交換機の形式に基づいておそらくはＣＣＡＦも備えている。これらの機能は、図２について詳細に述べる。メモリ部分ＭＰは、サービス交換ポイントＳＳＰの少なくともコンフィギュレーションデータを含む。又、メモリ部分ＭＰは、アプリケーション部分ＳＳＰ−ＡＰがこれに接続される限り、個別に配置しそして分散させることもできる。実施形態及び仕様に基づき、移動通信ネットワークＰＬＭＮのビジター位置レジスタ及びホーム位置レジスタをサービス交換ポイントのメモリ部分ＭＰに含ませることができ、これにより、ホーム位置レジスタのデータベースにコンフィギュレーションデータを配置することができる。
アプリケーション部分ＳＳＰ−ＡＰは、基本的なコールを制御すると共に、ユーザの通信経路を確立する接続及びそれら経路の相互接続を制御するように働く基本的コールマネージャーＢＣＭを備えている。ＢＣＭは、インテリジェントネットワークサービスの呼び出しを招いたり又はアクティブなインテリジェントネットワークサービスのロジックインスタンスに報告しなければならない事象を検出する。基本的コールマネージメントＢＣＭは、各コールごとに独特の状態モデルインスタンスＢＣＳＭを含む。ＢＣＭは、更に、インターフェイスインスタンスＳＳＦ−ＦＳＭ（有限状態モデルインスタンス）も含む。インテリジェントネットワークサービスが必要なときには、ＢＳＣＭとＳＣＰとの間にコール処理命令を通すＳＳＦ−ＦＳＭがコールに対して形成される。インテリジェントネットワークサービスの実行が完了すると、ＳＳＦ−ＦＳＭが終了となる。同じ状態モデルインスタンスＢＣＳＭが別のコール設定段階において新たなインテリジェントネットワークサービスを必要とすることがあり、その際には、新たなインターフェイスインスタンスＳＳＦ−ＦＳＭがそれに対して形成される。異なるコールに関連したインターフェイスインスタンスＳＳＭ−ＦＳＭが同時に且つ非同期で存在することがある。
アプリケーション部分ＳＳＰ−ＡＰは、インテリジェントネットワークのサービス制御ポイントから受け取ったオペレーションを実行し、それに応答しそして命令を要求するためのサービス交換マネージメントエンティティＳＳＭＥを備えている。このサービス交換マネージメントエンティティＳＳＭＥは、ＳＳＭＥコントロールＳＳＭＥ−Ｃと、必要な数のＳＳＭＥ有限状態モデルインスタンスＳＳＭＥ−ＦＳＭとを含む。ＳＳＭＥ−Ｃは、インテリジェントネットワークサービスに関連した全てのインスタンスＳＳＦ−ＦＳＭ及びＳＳＭＥ−ＦＳＭに対し、交換ポイントの他の部分及び他のインテリジェントネットワークノード又は機能、例えばサービス制御ポイントとのダイアログを維持する。これは、インターフェイスインスタンスＳＳＦ−ＦＳＭの形成、呼び出し及び維持の役目を果たす。ＳＳＭＥ−Ｃは、単一コールに関連した各々の他のオペレーション及びノン・コールに関連したＮＣＡオペレーションを互いに分離し、正しいインスタンスへ受け取られるオペレーションを誘導し、そして必要に応じて、インスタンスを生成する。マネージメントインスタンスＳＳＭＥ−ＦＳＭは、ＮＣＡ手順の責任を果たす。これは、受け取ったオペレーションに基づいて手順を遂行し、もし必要であれば、確認オペレーション又は応答オペレーションを構成する。
本発明の第１の好ましい実施形態では、図３、４、５及び６に示した各信号に対して独特のマネージメントモデルが必要とされ、このマネージメントモデルを使用して、ＳＳＭＥ−Ｃは、それに対応するマネージメントインスタンスＳＳＭＥ−ＦＳＭを形成し、これは、対応する図３、４、５又は６について述べたインテリジェントネットワークサービスポイント手順を実行する。更に、図５の信号により変更されたコンフィギュレーションデータがどんな作用をするか又はどこに記憶されるかに基づいて、第１の好ましい実施形態では完全に新しいマネージメントモデルが必要となり、これにより、対応するコール制御マネージメントエンティティ有限状態モデルＣＣＭＥ−ＦＳＭが形成されて、その手順が基本的コールコンフィギュレーションデータに指定されるか、又はインテリジェントネットワークに関連しない交換センターのコンフィギュレーションに指定される。ＳＳＭＥ−Ｃ又はＳＳＭＥ−ＦＳＭは、ＣＣＭＥ−ＦＳＭを形成する役目を果たすことができる。
本発明の他の実施形態では、その実施形態の信号により要求されるモデルのみが必要となる。本発明の信号がコール特有に使用される実施形態では、各コール特有の信号の独特のインターフェイスモデルが必要とされ、そしてＳＳＭＥ−Ｃは、このモデルを使用することにより、それに対応するインターフェイスインスタンスＳＳＦ−ＦＳＭを形成する。或いは又、インターフェイスインスタンスは、インターフェイスモデルを組合わせることにより形成することができる。
図８は、本発明に関連したサービス制御ポイントＳＣＰ及びその機能を示す。ＳＣＰは、インテリジェントネットワークサービスを提供するために使用される図１について述べたサービスロジックプログラムＳＬＰと、図２について述べたサービス制御ファンクションＳＣＦ及び必要なデータＳＤＦ又は個別データポイントへの接続（図８には示さず）とを備えている。インテリジェントネットワーク交換ポイントのコンフィギュレーションデータは、制御ポイントの構造と、コンフィギュレーションデータをいかに使用するかとに基づいて、ＳＤＦ、ＳＤＰ又はサービスロジックプログラムのいずれかに記憶される。
サービス制御ポイントＳＣＰは、少なくとも、他のネットワークノードと信号をやり取りするターミナル部分ＳＣＰ−ＥＰと、アプリケーション部分ＳＣＰ−ＡＰとを備え、このアプリケーション部分は、ターミナル部分及び少なくとも１つのサービスロジックプログラムＳＬＰを制御する。
アプリケーション部分ＳＣＰ−ＡＰは、ＳＣＦコール状態モデルインスタンスＳＣＭＳを備えている。各インテリジェントネットワークサービス要求は、サービスロジックプログラムに基づいてコールインスタンスＳＣＳＭを形成する。このＳＣＳＭは、コールインスタンスＳＣＳＭを形成させる特定コールのサービスに関連したインテリジェントネットワークのサービスロジックプログラムに対し、ＳＳＦ、ＳＤＦ及びＳＲＦとのダイアログを維持する。異なるコールに関連したコールインスタンスＳＣＳＭは、同時に且つ非同期に存在し得る。アプリケーション部分ＳＣＰ−ＡＰは、更に、インテリジェントネットワークのサービス交換ポイントから受け取ったオペレーションを実行すると共に命令を送信するためのサービス制御マネージメントエンティティＳＣＭＥを備えている。このマネージメントエンティティＳＣＭＥは、ＳＣＭＥコントロールＳＭＣＥ−Ｃと、必要な数のマネージメントインスタンスＳＣＭＥ−ＦＳＭとを備えている。集中的なやり方で、ＳＣＭＥ−Ｃは、インテリジェントネットワークサービスに関連した全てのインスタンスＳＣＳＭ及びＳＣＭＥ−ＦＳＭと、制御ポイントの他の部分及び他のインテリジェントネットワークノード又は機能、例えばサービス交換ポイントとのダイアログに対して責任を負う。これは、コールインスタンスＳＣＳＭの形成、呼び出し及び保守の役目を果たす。ＳＳＭＥ−Ｃは、コールに関連したアクティビティ及びノン・コールに関連したＮＣＡアクティビティを互いに分離し、そして受け取られるオペレーションを正しいインスタンスへ誘導し、必要に応じて、インスタンスを生成する。マネージメントインスタンスＳＳＭＥ−ＦＳＭは、ＮＣＡ手順について責任を負う。これは、受け取ったオペレーションに基づいて手順を遂行し、そして必要に応じて、確認オペレーション又は応答オペレーションをコンパイルする。本発明の第１の好ましい実施形態では、図３、４、５及び６に示された各信号に対して独特のマネージメントモデルが必要とされ、そしてマネージメントモデルを使用することにより、ＳＣＭＥ−Ｃは、それに対応するマネージメントインスタンスＳＣＭＥ−ＦＳＭを形成し、これは、対応する図の説明に基づいてインテリジェントネットワークサービスポイントの手順を実行する。
本発明の他の実施形態においては、その実施形態の信号により要求されるモデルのみが必要となる。本発明の信号がコール特有に使用される実施形態では、各信号ごとに独特のサービスロジックプログラムが必要とされ、コントロールＳＳＭＥ−Ｃは、それに対応するコールインスタンスＳＣＳＭを形成する。或いは又、コールインスタンスは、サービスロジックプログラムを組合わせることによって形成できる。
以上の説明及び添付図面は、単に本発明を例示するものに過ぎないことを理解されたい。当業者であれば、請求の範囲に記載した本発明の精神及び範囲から逸脱せずに多数の種々の変更がなされ得ることが明らかであろう。
【図１】
0004187801.tif 000002
【図２】
0004187801.tif 000003
【図８】
0004187801.tif 000004
【図３】
0004187801.tif 000005
【図４】
0004187801.tif 000006
【図５】
0004187801.tif 000007
【図６】
0004187801.tif 000008
【図７】
0004187801.tif 000009